(57)【特許請求の範囲】
【請求項１】
メタル溶湯のサンプル分析方法であって、
前記サンプルが、浸漬ランスとして構成されサンプルチャンバを有するサンプラを使用してメタル溶湯から採取され、前記サンプルが前記サンプラから、前記サンプラにシームレスに接続した移送導管を通して分析装置領分に移送され、前記サンプルが前記分析装置領分内で前記分析装置により分析され、
前記移送導管が一端で浸漬ランスにシームレスに接続され、他端で分析装置に連結され、前記サンプルが、前記サンプラ内のカートリッジ内に配置されるサンプルチャンバ内に収容される方法。
【請求項２】
分析装置として分光器を使用する請求項１に記載の方法。
【請求項３】
サンプルが、前記移送導管を通して前記サンプルチャンバと共に前記分析装置領分内に移送され、該分析装置領分内で前記サンプルチャンバの一部分が除去され、かくして露呈されたサンプル表面が分析される請求項１または２に記載の方法。
【請求項４】
移送導管を通してのサンプル移送中、サンプルに真空または不活性ガスが作用する請求項１〜３の何れかに記載の方法。
【請求項５】
真空または不活性ガスが、サンプリングの十分以前に少なくともサンプルチャンバ内で発生される請求項１〜４の何れかに記載の方法。
【請求項６】
真空または不活性ガスが少なくともサンプルチャンバ内で発生され且つ、サンプル温度が４００℃未満または４００℃に冷却されるまで維持される請求項１〜５の何れかに記載の方法。
【請求項７】
サンプルが圧縮ガスにより移送される請求項１〜６の何れかに記載の方法。
【請求項８】
前記不活性ガスが圧縮ガスとして使用され、該圧縮ガスが、サンプル温度が４００℃未満または４００℃に冷却された場合は随意的には圧縮空気により代替され得る請求項７に記載の方法。
【請求項９】
浸漬ランスとして構成されサンプルチャンバを有するサンプラを使用してメタル溶湯内でサンプルを採取する装置であって、前記サンプラ内のカートリッジと、移送導管とを含み、前記サンプルチャンバがカートリッジ内に配置され、前記サンプラのランスが、サンプル収納用のサンプルチャンバを収納するカートリッジ用の移送導管の一端にシームレスに接続され、該移送導管の他端が分析装置に連結される装置。
【請求項１０】
前記分析装置が分光器である請求項９に記載の装置。
【請求項１１】
前記サンプルチャンバまたはその一部が前記サンプラから着脱自在であり且つ前記移送導管を通して移送自在である請求項９または１０に記載の装置。
【請求項１２】
前記移送導管が圧縮ガス接続部及び真空接続部を有する請求項９〜１１の何れかに記載の装置。
【請求項１３】
前記サンプルチャンバまたはカートリッジが真空接続部または不活性ガス接続部を有する請求項９〜１２の何れかに記載の装置。
【発明の詳細な説明】
【技術分野】
【０００１】
本発明は、浸漬ランスとして構成され且つサンプルチャンバを有するサンプラを用いて採取したメタル溶湯のサンプル分析法に関する。更には本発明は、浸漬ランスとして構成され且つサンプルチャンバを有するサンプラを用いるサンプル採取用装置にして本発明のサンプル分析法の実施に特に好適な装置に関する。
【背景技術】
【０００２】
メタル溶湯プロセス、特には鋳鉄またはスチール製造プロセスでは溶湯の定期的分析が必要となる。分析は、プロセスガイダンスを適時調節してプロセスを効率化し得るよう、可能な限り短時間で実施され得るべきである。
【０００３】
既知のサンプル分析法は、例えばＥＰ５６３４４７Ｂ１に記載される。この方法ではメタル溶湯中の窒素含有量が決定され得る。既知の類似装置及び方法はＥＰ３０７４３０Ｂ１号に記載される。この装置ではメタル溶湯中の特に水素含有量が分析され得る。ＷＯ２００５／０５９５２７Ａ１号には、シングルユースタイプの分光器使用を伴う、メタル溶湯の分析方法及び装置が記載される。ＵＳ４，３４２，６３３号において既知のシングルユースタイプの浸漬プローブは、メタル溶湯の温度及び酸素含有量を決定し得る。ＪＰ３０７１０５７Ａにはスチール溶湯用のサンプリング装置が記載され、当該装置ではサンプルは浸漬ランスの補助の下に採取され、採取したサンプルはメタル溶湯からの浸漬ランス引き抜き中に密閉チャンバ内に持ち来される。ＤＥ３３４４９４４Ａ１において、サンプルを採取して分析ラボに送り、そこで分析を実施することが既知である。更に、ＤＥ３２０００１０Ａ１には、冶金学的浸漬プローブの分光研究について記載があり、詳しくはサンプルは、その高温による酸化を防止するべく真空または不活性ガス雰囲気化に維持される。
【先行技術文献】
【特許文献】
【０００４】
【特許文献１】ＥＰ５６３４４７Ｂ１号明細書
【特許文献２】ＥＰ３０７４３０Ｂ１号明細書
【特許文献３】ＷＯ２００５／０５９５２７Ａ１号明細書
【特許文献４】ＵＳ４，３４２，６３３号明細書
【特許文献５】ＪＰ３０７１０５７Ａ号明細書
【特許文献６】ＤＥ３３４４９４４Ａ１号明細書
【特許文献７】ＤＥ３２０００１０Ａ１号明細書
【発明の概要】
【発明が解決しようとする課題】
【０００５】
解決しようとする課題は、サンプル採取とサンプル分析との間の時間を短縮し、当該採取サンプルへの不純物混和を防止することである。
【課題を解決するための手段】
【０００６】
前記課題は付随する請求項に記載する本願発明により本来達成される。各従属形式請求項に記載する特徴を有する有益な実施例が記載される。本発明によれば、メタル溶湯、特に鋳鉄またはスチール溶湯のサンプル分析方法が提供され、当該方法では、サンプルチャンバを有し且つ浸漬ランスとして構成したサンプラを用いてメタル溶湯からサンプルが採取され、前記採取サンプルが移送導管を通して分析装置領分に送られ、当該分析装置により分析される。詳しくは、分析装置は分光計であり得る。サンプルは浸漬ランスから移送導管（浸漬ランス直後の）内に直接移動され、次いで分析装置に送られ、かくして、第１には迅速な移送が保証され、第２にはサンプルへの外的影響の大半が排除される。移送導管は空気圧チューブラインとして構成され得る。好ましくはサンプルは幾つか（例えば２〜４）の中実部分に分割され得、サンプラ内で予め分割され得、分割されたサンプルの当該部分が分析装置領分に移送され得る。
【０００７】
サンプルは、サンプルチャンバ全体から着脱自在のサンプルチャンバ部分にも連結され得、当該サンプルチャンバ部分と共に分析装置領分に移送され得る。サンプルをサンプルチャンバと共に移送導管を通して分析装置領分に移送し、当該領分にてサンプルチャンバの一部を除去し、かくして露呈されたサンプル表面領域を分析することも有益でもあり得る。詳しくは、移送導管を通しての移送中、真空または不活性ガスにサンプルを暴露させることが好適であり得る。サンプル採取に先立ち、真空または不活性ガスを少なくともサンプルチャンバ内に発生させておくことも有益であり得る。少なくともサンプルチャンバ内に真空または不活性ガスを発生させ且つサンプル温度が４００℃またはそれ以下に冷却されるまで維持することも好適であり得る。サンプルは好ましくは圧縮ガスにより移送され得る。真空下（サンプルの吸引）による移送も可能である。圧縮ガスとしては、特には、不活性ガス（例えばアルゴン）を使用し得、サンプル温度が４００℃またはそれ以下に冷却された場合は前記不活性ガスを随意的には圧縮空気で代替させ得る。
【０００８】
本発明によれば、サンプルチャンバを有するサンプラを使用してメタル溶湯内でサンプル採取する装置であって、浸漬ランスとして構成され、前記サンプルチャンバがカートリッジ内に配置され、前記サンプラが、サンプルまたはサンプル収納用のサンプルチャンバを収納するカートリッジ用の移送導管の一端に連結され、該移送導管の他端が分析装置に連結される装置が提供される。カートリッジの外側輪郭は、浸漬ランス及びその直ぐ後方の移送導管の内側輪郭に適合すると共に、サンプルチャンバを移送させるようになっている。カートリッジは、サンプルチャンバの外側輪郭が浸漬ランス及び移送導管の内側輪郭に適合する場合は、例えばサンプルチャンバ内に一体化され得る。詳しくは、分析装置は分光器であり得る。サンプルチャンバまたはその一部がサンプラから着脱自在であり、且つ移送導管を通して移送自在であることが好都合である。移送導管が圧縮ガス接続部及び／または真空接続部を有することが更に好都合である。サンプルチャンバ及び／またはカートリッジが真空接続部または不活性ガス接続部を有することが更に好都合である。本発明によれば、サンプルを有害な環境負荷に露呈させることなく素早く採取し、分析装置に移送させ得る。
【図面の簡単な説明】
【０００９】
【図１】サンプリング及び測定上の構成例の概略図である。
【図２】図１と類似するサンプリング及び測定上の構成例の概略図である。
【図３】サンプラ及びサンプル移送の例示図である。
【図４】他のサンプラの例示図である。
【発明を実施するための形態】
【００１０】
図１にはスチール溶湯用の溶湯コンテナ１が示され、サンプラとして作用する浸漬ランス２が浸漬されている。サンプルチャンバ３が浸漬ランスの浸漬端位置に配置される。サンプルチャンバ３は、所謂ロリポップタイプのサンプルチャンバであって、その浸漬端位置に入口４を有する楕円形断面の平坦なサンプルチャンバである。サンプルチャンバ３はカートリッジ５内に固定される。サンプルチャンバ３は前記カートリッジ５を介して浸漬ランス２に移送され、その直ぐ後方に続く移送導管６を介して分光器７に移送される。図２には極めて類似する構成が例示され、分光器７がスパークスタンド８を有している。図示の構成ではサンプルチャンバ３は分光器７位置に到達すると開放する。不活性ガスが前記開放時にサンプルチャンバ３内に導入され、スチール溶湯内への浸漬前に蒸発する。
【００１１】
不活性ガスがサンプルチャンバ３に、ＤＥ３２０００１０Ａ１に示される如き既知様式下に供給される。真空で代替させ得る不活性ガスにより、液状スチールサンプルまたは冷却スチールサンプルの高温下での酸化を防止する。
分光器７到達時のサンプル温度は４００℃以下であり、従って、サンプル保護用の不活性ガスまたは真空はもはや不要である。サンプルチャンバ３は分光器７位置に達すると開放する。当該開放は、中でもサンプルの動的力性により生じ得るが、サンプルチャンバ３の２つのシェル半分体をバネまたはマニピュレータ、例えば、切削用ディスクにより機械的にも生じさせ得、または圧縮空気の作用によってさえ生じさせ得る。サンプルチャンバ３の２つのシェル半分体の一方を取り外すと、サンプルのある表面への分析用のアクセスが可能となる。サンプル採取及びサンプル移送が不活性ガス（例えばアルゴン）存在下に実施されるので酸化が防止され、かくして適宜方式による分析用サンプルの更なる酸化防止策が不要化され、分析に先立つサンプル分離はもはや不要となる。
【００１２】
サンプルは、異なる移送路上を移送されるところの各中間ステージ無しで、分析装置に非常に素早く且つ直接給送される。移送導管６に浸漬ランス２及び分析装置を連結することにより、溶湯直近位置での複雑な分析装置の使用が不要化される。移送速度が非常に速く且つサンプリング直後に移送が開始されるため、実際の分析は２分未満で実施され得る。また、プロセス分析を改善させ得る自動サンプル識別が可能である。移動ラボあるいはそうでなければ固定ラボ、例えば中央ラボに設置し得る。当該ラボは製鋼プラントでは十分入手可能である。
【００１３】
各図ではサンプルチャンバ３は、カートリッジ５に固定した平坦なサンプルチャンバとして示される。浸漬ランス２は円形の内側断面を有し、移送導管６の同様に円形及び等サイズの内側断面にシームレスに接続し、かくして前記同様に円形及び等サイズの内側断面を持つカートリッジ５を支障なく移送させ得る。平坦なサンプルチャンバに代えて円形断面（移送方向に直交する方向での）を有するサンプルチャンバも使用できる。その場合、カートリッジは、サンプルチャンバ３に直接一体化されるようサンプルチャンバ３の外側シェルに本来等しい構成を有する。
【００１４】
サンプルチャンバ３は、例えば上述した分光器７を含む分析装置に圧縮空気により移送される。図３には当該移送状況がサンプルチャンバ３の２つの移動相により示される。図３には示さないが、浸漬ランス２はその端部位置で移送導管６にシームレスに移行される。浸漬ランス２の壁及び随意的には移送導管６の内部には圧縮ガスライン９が配置され、当該圧縮ガスライン９の支援下にガスを、カートリッジ５の浸漬端を分析装置方向に移送させるに十分な高圧で押送する。カートリッジ５の自由状態を維持する断面部は、ガス圧によりサンプルチャンバ３が移送され得るよう、例えば浸漬端から遠い側の端部位置で耐火材製ディスクにより好適に閉鎖され得る。図３では浸漬位置にあるサンプルチャンバ３はサンプルチャンバ３の入口開口４位置に保護キャップ１０を配置した状態で示される。前記キャップはスチール溶湯に浸漬されると溶融または溶解し、かくしてスチール溶湯がサンプルチャンバ３内に流入し得る。
【００１５】
図４には本発明の他の想定実施例が示される。図の下方部分には浸漬ランス２が示され、上方部分には分析装置に導入した移送導管６が示される。サンプルチャンバ３’は平坦なサンプルチャンバとして構成され、大型の延長部が浸漬方向と直交して伸延される。サンプルチャンバ３’の、浸漬端から遠い側に面する端部位置には、当該サンプルチャンバ３’の分光器７位置への到達後に除去される取り外し自在の蓋１１が装着される。分光器７はスパークスタンドを含み、当該スパークスタンドの支援下に、前記蓋１１を取り外した後の自由アクセス可能な表面位置でサンプルを分析し得る。分析装置はガス入口１２を含む。不活性ガス、即ち浸漬ランス内の圧縮ガスをガス導管１３の浸漬端位置に導入するガス導管１３が設けられる。不活性ガスをサンプルチャンバ内に導入するガス供給ライン１４も配置される。サンプルチャンバ自体はクオーツガラス製の入口パイプ１５を通して充填される。
本装置の各パーツはサンプラで通常用いる材料から構成される。
【符号の説明】
【００１６】
１  溶湯コンテナ
２  浸漬ランス
３  サンプルチャンバ
４  入口
５  カートリッジ
６  移送導管
７  分光器
１０  保護キャップ
１１  蓋
１２  ガス入口
１３  ガス導管
１４  ガス供給ライン
１５  入口パイプ
【図１】
0005890672.tif 000002
【図２】
0005890672.tif 000003
【図３】
0005890672.tif 000004
【図４】
0005890672.tif 000005